(57)【要約】【課題】変換装置を必要とせずに４：４：４のＲＧＢ信号の記録と再生を可能とした記録装置を提供する事を目的とする。【解決手段】被写体を動画像として取り込む撮像部２０１と、取り込まれた動画像を４：２：２のＹＣ信号に圧縮する４：２：２圧縮部２０２と、取り込まれた動画像を０：２：２のＹＣ信号に圧縮する０：２：２圧縮部２０４と、４：２：２のＹＣ信号と０：２：２のＹＣ信号から可変フレームレート記録における映像信号に結合して伝送路へ送信する送信部２０３とを有する記録ユニットと、伝送路から映像信号を受信する受信部２１１と、受信した映像信号から４：２：２のＹＣ信号に伸長する４：２：２伸長部２１２と、受信した映像信号から０：２：２のＹＣ信号に伸長する０：２：２伸長部２１４と、伸長した４：２：２のＹＣ信号と０：２：２のＹＣ信号からＲＧＢ信号に結合する結合部２１３とを有する再生ユニットとを設けて構成する。【選択図】図１
2010268335.tif 000002
【特許請求の範囲】
【請求項１】
撮像素子を備え、前記撮像素子により第１のフレームレートで被写体を撮像して４：４：４形式のＲＧＢ信号を出力する撮像部と、
前記ＲＧＢ信号を４：２：２形式のＹＣ信号に圧縮する４：２：２圧縮部と、
前記ＲＧＢ信号を０：２：２形式のＹＣ信号に圧縮する０：２：２圧縮部と、
前記４：２：２形式のＹＣ信号と前記０：２：２形式のＹＣ信号とから前記第１のフレームレートの２倍以上である第２のフレームレートを結合した映像信号を伝送路に送信する送信部と、
を有する記録装置と、
伝送路から前記映像信号を受信して前記４：２：２形式のＹＣ信号と前記０：２：２形式のＹＣ信号とに分割する受信部と、
前記４：２：２形式のＹＣ信号を伸張する４：２：２伸張部と、
前記０：２：２形式のＹＣ信号を伸張する０：２：２伸張部と、
前記伸張した４：２：２形式のＹＣ信号と前記伸張した０：２：２形式のＹＣ信号とを結合して第１のフレームレートの４：４：４形式のＲＧＢ信号にする結合部とを有する再生ユニットと、
を備えた記録装置と、
を有する記録再生システム。
【請求項２】
前記第１のフレームレートを１〜３０Ｐとし、前記第２のフレームレートを６０Ｐとした可変フレームレート記録において、前記４：２：２形式のＹＣ信号と前記０：２：２形式のＹＣ信号とを前記映像信号に結合する映像信号結合手段を、送信部により形成した請求項１記載の記録再生システム。
【発明の詳細な説明】
【技術分野】
【０００１】
本発明は動画像の記録再生システムにおいて、可変フレームレート記録を行う記録再生システムに関する。
【背景技術】
【０００２】
従来の記録装置としては、例えば、特許文献１に記載されているようなものがあった。図５は特許文献１に記載された従来の記録再生システムを示している。図５において、撮像部１０１と、データ変換部１０２と、圧縮部１０３と、送信部１０４とを有した記録装置と、受信部１１１と、伸張部１１２と、データ変換部１１３とを有した再生装置とを備えた記録再生システムである。記録装置で撮影する場合、撮像部１０１は、撮影した動画像を撮影して４：４：４形式のＲＧＢ信号を出力する。データ変換部１０２は、４：４：４形式のＲＧＢ信号の２画素分を４：２：２形式の３画素分に割り当てて２チャンネルの映像データに変換する。圧縮部１０３は、映像データをＳＭＰＴＥ２７４Ｍ規格に則った４：２：２形式の映像信号に変換し、送信部１０４で伝送路から送信する。一方、再生装置で動画像を再生する場合、受信部１１１が伝送路から映像信号を受信し、伸張部１１２が映像信号から前記２画素分の４：２：２形式の映像データを取り出し、データ変換部１１３が前記映像データの３画素分を４：４：４のＲＧＢ信号に割り当てて復元する。
【０００３】
このように、前記特許文献での手法は、記録時に４：４：４のＲＧＢ信号を４：２：２の映像信号に変換して、再生時に４：４：４のＲＧＢ信号に復元する手法である。
【先行技術文献】
【特許文献】
【０００４】
【特許文献１】特開２００４−２４８２６４号公報
【発明の概要】
【発明が解決しようとする課題】
【０００５】
しかし、前記従来の構成では、４：４：４のＲＧＢ信号を２チャンネルの４：２：２の映像信号に変換してからＳＭＰＴＥ２７４Ｍ規格に則った４：２：２の映像信号に変換する手法をとっているので、変換手段と復元手段とを必要とする上、記録した映像を再生するまでの変換と復元による映像の劣化が発生するという可能性を有していた。
【０００６】
本発明は、前記従来の課題を解決するもので、変換装置を必要とせずに４：４：４のＲＧＢ信号の伝送を可能とした記録再生システムを提供する事を目的とする。
【課題を解決するための手段】
【０００７】
前記従来の課題を解決する為に、本発明の記録再生システムは、撮像素子を備え、撮像素子により第１のフレームレートで被写体を撮像して４：４：４形式のＲＧＢ信号を出力する撮像部と、ＲＧＢ信号を４：２：２形式のＹＣ信号に圧縮する４：２：２圧縮部と、ＲＧＢ信号を０：２：２形式のＹＣ信号に圧縮する０：２：２圧縮部と、４：２：２形式のＹＣ信号と０：２：２形式のＹＣ信号とから第１のフレームレートの２倍以上である第２のフレームレートを結合した映像信号を伝送路に送信する送信部と、を有する記録装置と、伝送路から映像信号を受信して４：２：２形式のＹＣ信号と０：２：２形式のＹＣ信号とに分割する受信部と、４：２：２形式のＹＣ信号を伸張する４：２：２伸張部と、０：２：２形式のＹＣ信号を伸張する０：２：２伸張部と、伸張した４：２：２形式のＹＣ信号と伸張した０：２：２形式のＹＣ信号とを結合して第１のフレームレートの４：４：４形式のＲＧＢ信号にする結合部とを有する再生ユニットと、を備えた記録装置と、を有する。
【発明の効果】
【０００８】
本発明によれば、従来からある可変フレームレート記録装置に０：２：２のＹＣ信号記録装置を追加する事により、変換装置や記録媒体の容量追加を必要とせずに４：４：４のＲＧＢ信号の伝送が可能となる。
【図面の簡単な説明】
【０００９】
【図１】実施の形態におけるブロック構成図
【図２】実施の形態におけるフローチャート
【図３】実施の形態における映像信号の構成を示す図
【図４】実施の形態におけるＹＣ信号とＲＧＢ信号を示す図
【図５】従来の記録装置におけるブロック構成図
【発明を実施するための形態】
【００１０】
以下、本発明の実施の形態について、図面を参照しながら説明する。
【００１１】
図１は、本実施の形態における記録再生システムのブロック構成図である。
【００１２】
図１の記録装置（記録ユニット）は、設定されたフレームレート（例えば１〜３０フレーム／秒）で被写体を動画像として取り込む撮像部２０１と、取り込まれた動画像を４：２：２のＹＣ信号に圧縮する４：２：２圧縮部２０２と、取り込まれた動画像を０：２：２のＹＣ信号に圧縮する０：２：２圧縮部２０４と、４：２：２のＹＣ信号と０：２：２のＹＣ信号とから６０フレーム／秒の映像信号に結合して伝送路へ送信する送信部２０３で構成される。
【００１３】
図１の再生装置（再生ユニット）は、伝送路から６０フレーム／秒の映像信号を受信する受信部２１１と、受信した映像信号から４：２：２のＹＣ信号に伸長する４：２：２伸長部２１２と、受信した映像信号から０：２：２のＹＣ信号に伸長する０：２：２伸長部２１４と、伸長した４：２：２のＹＣ信号と０：２：２のＹＣ信号とから設定されたフレームレート（記録装置で設定されたフレームレートと同一）の４：４：４形式のＲＧＢ信号に結合する結合部２１３で構成される。
【００１４】
本実施の形態の動作を図２に示すフローチャートを用いて説明する。記録ユニットにおいて動画像の撮像が開始されると、処理３０１で、撮像部２０１は設定されたフレームレートで撮像した動画像を４：４：４形式のＲＧＢ信号に変換して、４：２：２圧縮部２０２と０：２：２圧縮部２０４に送信する。処理３０２で、４：２：２圧縮部２０２と０：２：２圧縮部２０４によってＲＧＢ信号は４：２：２のＹＣ信号と０：２：２のＹＣ信号にそれぞれ圧縮される。処理３０３で、送信部２０３は４：２：２のＹＣ信号と０：２：２のＹＣ信号とを結合して６０フレーム／秒の４：２：２形式の映像信号として伝送路へ送信する（処理３０４）。
【００１５】
再生ユニットにおいて動画像の再生が開始されると、処理３１１で、受信部２１１は映像信号を受信する。処理３１２で、受信した映像信号は４：２：２伸張部２１２と０：２：２伸張部２１４によって４：２：２のＹＣ信号と０：２：２のＹＣ信号にそれぞれ伸長される。処理３１３で、結合部２１３によって４：２：２のＹＣ信号と０：２：２のＹＣ信号を結合して設定されたフレームレートの４：４：４形式のＲＧＢ信号に形成する。処理３１４で、表示部から映像を表示する。
【００１６】
送信部２０３における、可変フレームレート記録による映像信号と、４：２：２のＹＣ信号と０：２：２のＹＣ信号の配置について、図３を用いて説明する。撮像するフレームレートを６０フレーム／秒の半分である３０フレーム／秒とし、これをフレームレートが６０フレーム／秒の映像信号に変換する、Ｏｖｅｒ６０Ｐ記録を行った場合、従来の映像信号は６０Ｐのフレーム４０１を２フレーム連続で記録する事で、３０Ｐのフレーム４０２を構成する。すなわち従来の再生装置では、連続する２フレームの１フレーム目のみを読み出すことにより３０Ｐの映像信号を得ている。本発明における送信部２０３では、連続するフレームの１フレーム目４１１にＳＭＰＴＥ２７４Ｍ規格に則った４：２：２のＹＣ信号を配置する事で、従来の再生装置での再生を可能とした上で、４：４：４のＲＧＢ信号として再生する場合に必要となる、４：２：２形式に対する差分である０：２：２のＹＣ信号を連続するフレームの２フレーム目４１２に配置する(図中のＡ’。Ｂ’およびＣ’も同様）。
【００１７】
結合部２１３における、４：２：２と０：２：２のＹＣ信号から４：４：４のＲＧＢ信号への結合について、図４を用いて説明する。４：２：２のＹＣ信号５０１から４：４：４のＲＧＢ信号５０３を形成する場合、４：２：２のＹＣ信号５０１におけるＰｂ２信号と、Ｐｒ２信号が不足している。そこで、Ｐｂ２信号と、Ｐｒ２信号のみで構成した０：２：２のＹＣ信号５０２と結合する事で、元のフレームレートの４：４：４のＲＧＢ信号を構成する。
【産業上の利用可能性】
【００１８】
本発明にかかる記録装置は、従来からある記録装置に０：２：２のＹＣ信号記録装置を追加する事により、大容量の記録媒体や変換装置を必要とせずにＲＧＢ信号の記録再生が可能となるので、業務用の動画像撮像システムにおいて、４：４：４のＲＧＢ信号を記録する動画像の記録装置として有用である。
【符号の説明】
【００１９】
１０１  撮像部
１０２  データ変換部
１０３  圧縮部
１０４  送信部
１１１  受信部
１１２  伸張部
１１３  データ変換部
２０１  撮像部
２０２  ４：２：２圧縮部
２０３  送信部
２０４  ０：２：２圧縮部
２１１  受信部
２１２  ４：２：２伸張部
２１３  結合部
２１４  ０：２：２伸張部
４０１  ６０Ｐのフレーム
４０２  ３０Ｐのフレーム
４１１  連続するフレームの１フレーム目
４１２  連続するフレームの２フレーム目
５０１  ４：２：２のＹＣ信号の構成
５０２  ０：２：２のＹＣ信号の構成
５０３  ４：４：４のＲＧＢ信号の構成
【図１】
2010268335.tif 000003
【図２】
2010268335.tif 000004
【図３】
2010268335.tif 000005
【図４】
2010268335.tif 000006
【図５】
2010268335.tif 000007